(57)【要約】【課題】地震等の外部圧力によって天井材が脱落するのを防止して、天井躯体１の取付面２の傾斜角度に影響されることなく、該天井躯体１の取付面２に野縁受けを堅固に取り付ける。【解決手段】屋根材Ｌの種々の勾配角度に傾斜して配設される天井躯体１の取付面２に野縁受け懸架金具４を取り付け、懸架金具４に円弧状に湾曲する円弧状湾曲片５を一体形成し、円弧状湾曲片５にその湾曲方向に開口する長孔６を貫設し、円弧状湾曲片５の湾曲内面５ａに該内面５ａに沿って湾曲方向に摺動可能な板状湾曲ナット７を設け、板状湾曲ナット７に野縁受け懸架用の吊りボルト８が長孔６を貫通してねじ込まれてなる。【選択図】図２
2018021371.tif 000002
【特許請求の範囲】
【請求項１】
天井躯体の取付面に野縁受けを懸架するための野縁受け懸架装置において、天井躯体の取付面に野縁受け懸架金具が取り付けられ、該懸架金具には円弧状に湾曲する円弧状湾曲片が一体形成されると共に、該円弧状湾曲片にはその湾曲方向に開口する長孔が貫設され、該円弧状湾曲片の湾曲内面には該内面に沿って湾曲方向に摺動可能な板状湾曲ナットが設けられ、該板状湾曲ナットに野縁受け懸架用の吊りボルトが前記長孔を貫通してねじ込まれてなる野縁受け懸架装置。
【請求項２】
前記天井躯体は、コンクリートスラブ製天井材、木材製天井材、或いは金属製天井材からなる請求項１に記載の野縁受け懸架装置。
【請求項３】
前記野縁受け懸架金具は、天井躯体の取付面に当接する当接片と当接片の一端部から円弧状に上向きに湾曲して一体形成される前記円弧状湾曲片と該円弧状湾曲片の上端部から前記当接片の裏側に重合する重合片とからなり、前記当接片とこれに重合する重合片とを貫通して固定ボルトが天井躯体にねじ込まれて、野縁受け懸架金具は天井躯体の取付面に取り付けられてなる請求項１又は２に記載の野縁受け懸架装置。
【請求項４】
前記野縁受け懸架金具の前記重合片の先端部を延長して係合突起が形成され、該懸架金具の前記円弧状湾曲片に前記係合突起が係合する係合孔が形成されてなる請求項３に記載の野縁受け懸架装置。
【請求項５】
前記野縁受け懸架金具の円弧状湾曲片の湾曲外面に沿って板状湾曲座金が取り付けられ、前記吊りボルトが、円弧状湾曲片に貫設した前記長孔及び前記板状湾曲座金を貫通して前記板状湾曲ナットにねじ込まれると共に、ロックナットが前記吊りボルトにねじ込まれて該ロックナットが前記板状湾曲座金に圧接することによって前記吊りボルトが所定の懸架方向にロックされてなる請求項１〜４の何れかに記載の野縁受け懸架装置。
【請求項６】
前記板状湾曲座金の湾曲面のうち、前記ロックナットが圧接するナット圧接面は平坦面に形成されてなる請求項５に記載の野縁受け懸架装置。
【請求項７】
前記該懸架金具の円弧状湾曲片に貫設した長孔を貫通して前記板状湾曲ナットにねじ込まれた前記吊りボルトは、天井躯体の取付面の傾斜角度に影響されることなく前記長孔に案内されて垂直に吊り下げられ、ハンガーを介して野縁受けを懸架してなる請求項１〜６の何れかに記載の野縁受け懸架装置。
【請求項８】
少なくとも天井躯体の取付面に取り付けられた一対の前記野縁受け懸架金具に夫々吊りボルトが吊り下げられ、これら一対の吊りボルトは、夫々短尺な羽子板ボルトからなり、該羽子板ボルトにチャッネル鋼板からなる振れ止め用筋交いが連結されて、一対の筋交いは、夫々吊りボルトを介して前記懸架金具に互いに左右反対方向に傾斜して吊り下げられ、両筋交いの下端部が野縁受けに固着具によって固着されてなる請求項１〜６の何れかに記載の野縁受け懸架装置。
【請求項９】
野縁受け懸架金具を形成するための帯板状の打ち抜き金属板は、長孔及び係合孔付きの円弧状湾曲片に相当する部分と、その一端部の折り込み線によって折り込まれる貫通孔付きの当接片に相当する部分と、その他端部の折り込み線によって折り込まれる貫通孔及び係合突起付きの重合片に相当する部分からなる請求項１〜７の何れかに記載の野縁受け懸架装置。
【発明の詳細な説明】
【技術分野】
【０００１】
本発明は、屋根材の勾配に合わせて種々の勾配角度に傾斜して配設される天井躯体の取付面の傾斜角度に影響されることなく、該取付面に野縁受けを懸架するための野縁受け懸架装置に関する。
【背景技術】
【０００２】
従来、屋根材の勾配に合わせて種々の勾配角度に傾斜して配設される野縁受け懸架装置はあまり見られないが、例えば、天井材落下防止装置としては、特許第３８１７３４６号に係る従来技術が存在する。この従来技術は、屋根下地や屋根ボード等の屋根材の 勾配に合わせて種々の勾配角度に傾斜して配設される鉄骨製屋根骨枠の上面に、これに直交して鉄骨製母屋が取り付けられ、この鉄骨製屋根骨枠に直接に取り付けられる板状の第１部材と、天井吊りボルトが取り付けられる板状の第２部材とを重ね合わせて両者をその中心部を軸心として垂直面内を回転可能に枢着し、第１部材に対して第２部材をその中心部を回転中心として回転調整して、該第２部材に天井吊りボルトを垂直に吊持させるようにしている。この従来技術であると、地震の際の衝撃や振動によって第２部材が第１部材に対して回転揺動して第２部材に取り付けられる天井吊りボルトが左右に大きく揺動する危険性があり、天井吊りボルトの揺動によって、これに吊持される天井材が破壊、落下する大きな要因となり、又、第１部材と第２部材を、その回転中心部に枢着するために構造が複雑で製作費が高くつく難点があった。なお、周知のように、天井吊りボルトの下端部にハンガーを介して野縁受けが取り付けられ、該野縁受けにフック部材を介して野縁が取り付けられ、該野縁に天井材が取り付けられるようになっている。
【発明の概要】
【発明が解決しようとする課題】
【０００３】
本発明は、上記従来技術のように、地震等の外部圧力によって天井材が脱落するのを防止して、天井躯体の取付面の傾斜角度に影響されることなく、該天井躯体に野縁受けを堅固に懸架するための野縁受け懸架装置を提案することを課題とする。
【課題を解決するための手段】
【０００４】
上記課題を解決するための手段を、後述する実施形態の参照符号を付して説明すると、請求項１に係る野縁受け懸架装置は、天井躯体１の取付面２に野縁受け３を懸架するための野縁受け懸架装置において、天井躯体１の取付面２に野縁受け懸架金具４が取り付けられ、該懸架金具４には円弧状に湾曲する円弧状湾曲片５が一体形成されると共に、該円弧状湾曲片５にはその湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７に野縁受け懸架用の吊りボルト８が前記長孔６を貫通してねじ込まれてなる野縁受け懸架装置。
【０００５】
請求項２に係る発明は、前記天井躯体１は、コンクリートスラブ製天井材、木材製天井材、或いは金属製天井材からなる請求項１に記載の構成からなる。
【０００６】
請求項３に係る発明は、前記野縁受け懸架金具４は、天井躯体１の取付面２に当接する当接片４ａと該当接片４ａの一端部から円弧状に上向きに湾曲して一体形成される前記円弧状湾曲片５と該円弧状湾曲片５の上端部から前記当接片４ａの裏側に重合する重合片４ｂとからなり、前記当接片４ａとこれに重合する重合片４ｂとを貫通して固定ボルト９が天井躯体１にねじ込まれて、野縁受け懸架金具４は天井躯体１の取付面２に取り付けられてなる請求項１又は２に記載の構成からなる。
【０００７】
請求項４に係る発明は、前記野縁受け懸架金具４の前記重合片４ｂの先端部を延長して係合突起４ｃが形成され、該懸架金具４の前記円弧状湾曲片５に前記係合突起４ｃが係合する係合孔４ｄが形成されてなる請求項３に記載の構成からなる。
【０００８】
請求項５に係る発明は、前記野縁受け懸架金具４の円弧状湾曲片５の湾曲外面５ｂに沿って板状湾曲座金１１が取り付けられ、前記吊りボルト８が、円弧状湾曲片５に貫設した前記長孔６及び前記板状湾曲座金１１を貫通して前記板状湾曲ナット７にねじ込まれると共に、ロックナット１２が前記吊りボルト８にねじ込まれて該ロックナット１２が前記板状湾曲座金１１に圧接することによって前記吊りボルト８が所定の懸架方向にロックされてなる請求項１〜４の何れかに記載の構成からなる。
【０００９】
請求項６に係る発明は、前記板状湾曲座金１１の湾曲面のうち、前記ロックナット１２が圧接するナット圧接面は平坦面１１ａに形成されてなる請求項５に記載の構成からなる。
【００１０】
請求項７に係る発明は、前記該懸架金具４の円弧状湾曲片５に貫設した長孔６を貫通して前記板状湾曲ナット７にねじ込まれた前記吊りボルト８は、天井躯体１の取付面２の傾斜角度に影響されることなく前記長孔６に案内されて垂直に吊り下げられ、ハンガー１３を介して野縁受け３を懸架してなる請求項１〜６の何れかに記載の構成からなる。
【００１１】
請求項８に係る発明は、図９に示すように、少なくとも天井躯体１の取付面２に取り付けられた一対の前記野縁受け懸架金具４，４に夫々吊りボルト８，８が吊り下げられ、これら一対の吊りボルト８，８は、夫々短尺な羽子板ボルト１４からなり、該羽子板ボルト１４にチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受け３に固着具１６によって固着されてなる請求項１〜７の何れかに記載の構成からなる。
【００１２】
請求項９に係る発明は、図１０に示すように、野縁受け懸架金具４を形成するための帯板状の打ち抜き金属板４Ａは、長孔６及び係合孔４ｄ付きの円弧状湾曲片５に相当する部分と、その一端部の折り込み線２０によって折り込まれる貫通孔１９ａ付きの当接片４ａに相当する部分と、その他端部の折り込み線２１によって折り込まれる貫通孔１９ｂ及び係合突起４ｃ付きの重合片４ｂに相当する部分からなる請求項１〜７の何れかに記載の構成からなる。
【発明の効果】
【００１３】
請求項１に係る発明によれば、天井躯体１の取付面２に野縁受け懸架金具４が取り付けられ、該懸架金具４には円弧状に湾曲する円弧状湾曲片５が一体形成されると共に、該円弧状湾曲片５にはその湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７に野縁受け懸架用の吊りボルト８が前記長孔６を貫通してねじ込まれるようになっているため、板状湾曲ナット７にねじ込まれている吊りボルト８は、垂直に吊り下げられるか、あるいは所望の傾斜角度に吊り下げられて、その下端部を野縁受け３に正確に固着することができる。
【００１４】
又、野縁受け懸架金具４に円弧状に湾曲して一体形成される円弧状湾曲片５は、野縁受け懸架金具４が取り付けられる天井躯体１の取付面２が水平状態の場合に限らず、取付面２が前後又は左右の何れの方向に傾斜した状態であっても、該取付面２の傾斜方向に円弧状湾曲片５の湾曲方向を合わすことによって、３６０°の何れの傾斜状態の取付面２に対しても野縁受け懸架金具４を介して吊りボルト８を正確に垂直に吊り下げることができる。
【００１５】
しかも、吊りボルト８は、板状湾曲ナット７にねじ込まれることによって、野縁受け懸架金具４に確実に強固に連結されることになり、外部からの衝撃や振動によって、吊りボルト８が野縁受け懸架金具４から脱落することはない。
【００１６】
請求項２に係る発明によれば、前記天井躯体１は、コンクリートスラブ製天井材、木材製天井材、或いは金属製天井材からなるため、これらの取付面２がどのような構造或いは材質のものであっても、野縁受け懸架金具４を取り付けることができ、その適用範囲に限定されることがなく実用的である。
【００１７】
請求項３に係る発明によれば、前記野縁受け懸架金具４は、天井躯体１の取付面２に当接する当接片４ａと該当接片４ａの一端部から円弧状に上向きに湾曲して一体形成される前記円弧状湾曲片５と該円弧状湾曲片５の上端部から前記当接片４ａの裏側に重合する重合片４ｂとからなるため、その構成が簡単で安価に製作することができると共に、前記当接片４ａとこれに重合する重合片４ｂとを貫通して固定ボルト９が天井躯体１にねじ込まれてなるため、野縁受け懸架金具４を天井躯体１の取付面２に強固に取り付けることができる。
【００１８】
請求項４に係る発明によれば、前記野縁受け懸架金具４の前記重合片４ｂの先端部を延長して係合突起４ｃが形成され、該懸架金具４の前記円弧状湾曲片５に前記係合突起４ｃが係合する係合孔４ｄが形成されて、係合突起４ｃが係合孔４ｄに係合することによって、円弧状湾曲片５は、その両端部が当接片４ａとこれに重合する重合片４ｃとの重層片によって支持されることになり、これがために円弧状湾曲片５に負荷する天井材等の重量のある荷重に対して強力な耐久力を発揮することができ、長期にわたって安定して使用することができる。
【００１９】
請求項５に係る発明によれば、前記野縁受け懸架金具４の円弧状湾曲片５の湾曲外面５ｂに沿って板状湾曲座金１１が取り付けられ、前記吊りボルト８が、円弧状湾曲片５に貫設した前記長孔６及び前記板状湾曲座金１１を貫通して前記板状湾曲ナット７にねじ込まれると共に、ロックナット１２が前記吊りボルト８にねじ込まれて該ロックナット１２が前記板状湾曲座金１１に圧接することによって前記吊りボルト８が所定の懸架方向にロックされてなるため、前記吊りボルト８は、円弧状湾曲片５に取り付けられる板状湾曲座金１１とこれに圧接するロックナット１２によって、垂直方向又は傾斜方向の所望の懸架方向に確実に維持され、外部からの衝撃や振動によって、吊りボルト８の懸架方向が不測に変動することはない。
【００２０】
請求項６に係る発明によれば、前記板状湾曲座金１１の湾曲面のうち、前記ロックナット１２が圧接するナット圧接面は平坦面１１ａに形成されてなるため、ロックナット１２は板状湾曲座金１１に確実に面接触してそのロック作用を有効に発揮することができる。
【００２１】
請求項７に係る発明によれば、前記該懸架金具４の円弧状湾曲片５に貫設した長孔６を貫通して前記板状湾曲ナット７にねじ込まれた前記吊りボルト８は、天井躯体１の取付面２の傾斜角度に影響されることなく、野縁受け３は、ハンガー１３を介して無理なく且つ正確に吊りボルト８に吊持される。
【００２２】
請求項８に係る発明によれば、図９に示すように、天井躯体１に取り付けられる少なくとも一対の前記野縁受け懸架金具４，４に夫々吊りボルト８，８が吊り下げられ、これら一対の吊りボルト８，８は、夫々短尺な羽子板ボルト１４からなり、該羽子板ボルト１４にチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受け３に固着具１６によって固着されてなるため、一対の振れ止め用筋交い１５によって野縁受け３を吊持することができると共に、外部からの衝撃や振動を受けても、一対の振れ止め用筋交い１５の補強作用によって、野縁受け３は動揺することなく吊持され、野縁受け３に野縁を介して取り付けられる天井材の脱落を防止することができる。
【００２３】
請求項９に係る発明によれば、図１０に示すように、野縁受け懸架金具４を形成するための帯板状の打ち抜き金属板４Ａは、長孔６及び係合孔４ｄ付きの円弧状湾曲片５に相当する部分と、その一端部の折り込み線２０によって折り込まれる貫通孔１９ａ付きの当接片４ａに相当する部分と、その他端部の折り込み線２１によって折り込まれる貫通孔１９ｂ及び係合突起４ｃ付きの重合片４ｂに相当する部分からなるため、前記折り込み線２０，２１にしたがって折り込むことによって、長孔６及び係合孔４ｄ付きの円弧状湾曲片５、貫通孔１９ａ付きの当接片４ａと、貫通孔１９ｂ及び係合突起４ｃ付きの重合片４ｂとからなる野縁受け懸架金具４を容易に製作することができ、それがために、鋼板などの金属板の打ち加工によって上記一連の構成部分を一体形成することができ、その後は打ち抜き金属板を折り込み加工するだけで製品とすることができるから非常に安価に製作することができる。
【図面の簡単な説明】
【００２４】
【図１】本発明に係る野縁受け懸架装置の実施形態の使用状態説明図である。
【図２】本発明の要部の使用状態を示す拡大断面正面図である。
【図３】同使用状態の斜視図である。
【図４】（ａ）及び（ｂ）は、野縁受け懸架金具の天井躯体への取付状態を示す一実施形態の断面図である。
【図５】同分解斜視図である。
【図６】同要部の拡大斜視図である。
【図７】同分解斜視図である。
【図８】本発明の要部の他の使用状態を示す拡大正面図である。
【図９】本発明に係る野縁受け懸架装置の他の実施形態の使用状態説明図である。
【図１０】同要部の野縁受け懸架金具の展開図である。
【発明を実施するための形態】
【００２５】
以下に本発明の好適な実施形態を図面に基づいて説明すると、図１は、本発明に係る野縁受け懸架装置の使用状態を示すものである。
【００２６】
従来から勾配屋根として、屋根下地や屋根ボード等からなる屋根材Ｌが種々の勾配角度に形成されている。この種々の勾配角度に合わせて傾斜して高所から低部に向かって桁材、母屋あるいは梁材としての天井躯体１が配設されており、図１では、天井躯体１は、木製の角材からなる母屋を表わしている。
【００２７】
本発明は、図１に示すように、例えば木製母屋を一例として示す天井躯体１に野縁受け懸架装置を装備するようにしたものである。
【００２８】
この野縁受け懸架装置は、傾斜状に配備された天井躯体１の取付面２に野縁受け懸架金具４が取り付けられ、該懸架金具４に天井躯体１の傾斜方向にに円弧状に湾曲する円弧状湾曲片５が一体形成され、これに後述のように野縁受け懸架用の吊りボルト８が連結され、該吊りボルト８の下端部８ａにハンガー１３によって野縁受け３を吊持し、該野縁受け３にクリップＣを介して野縁Ｎを取り付け、これに天井材Ｔをビスや接着材によって取り付けられるようになっている。
【００２９】
天井躯体１に取り付けられる野縁受け懸架金具４は、図２〜図４（ａ）及び（ｂ）に示すように、天井躯体１の取付面２に当接する当接片４ａと該当接片４ａの一端部から円弧状に上向きに湾曲して一体形成される前記円弧状湾曲片５と該円弧状湾曲片５の上端部から前記当接片４ａの裏側に重合する重合片４ｂとからなり、該当接片４ａとこれに重合する重合片４ｂとにそれ夫々の貫通孔１９ａ，１９ｂを貫通して固定ボルト９が天井躯体１にねじ込まれて、野縁受け懸架金具４を天井躯体１の取付面２に強固に取り付けるようになっている。なお、図４の（ａ），（ｂ）に示すように、野縁受け懸架金具４が取り付けられる天井躯体１はコンクリート製の天井スラブによって形成され、その取付面２は水平状態となっているが、勿論、傾斜状態で使用される場合もある。そして、図４の（ａ）では、固定ボルト９が天井躯体１に直接にねじ込まれているが、図４の（ｂ）ではインサートナットＳを埋め込んでおき、これにアンカー状の固定ボルト９を打ち込むようにしてもよい。
【００３０】
又、図２、図４（ａ）、図５、図６に示すように、前記野縁受け懸架金具４の前記重合片４ｂの先端部を延長して係合突起４ｃが形成され、該懸架金具４の前記円弧状湾曲片５に前記係合突起４ｃが係合する係合孔４ｄが形成され、係合突起４ｃが係合孔４ｄに係合することによって、円弧状湾曲片５は、その両端部が当接片４ａとこれに重合する重合片４ｃとの重層片によって支持されることになり、これがために円弧状湾曲片５に負荷する天井材等の重量のある荷重に対して、その変形を阻止し、強力な耐久力を発揮することができ、長期にわたって安定して使用することができる。
【００３１】
そして、図１〜図９に示すように、野縁受け懸架金具４の下部に一体形成される円弧状湾曲片５には、その湾曲方向に開口する長孔６が貫設され、該円弧状湾曲片５の湾曲内面５ａには該内面５ａに沿って湾曲方向に摺動可能な板状湾曲ナット７が設けられ、該板状湾曲ナット７のねじ孔７ａ（図５）に野縁受け懸架用の吊りボルト８が前記長孔６を貫通してねじ込まれている。
【００３２】
又、野縁受け懸架金具４の円弧状湾曲片５の湾曲外面５ｂに沿って板状湾曲座金１１が当て付けられ、前記吊りボルト８が、円弧状湾曲片５に貫設した前記長孔６及び前記板状湾曲座金１１に設けた貫通孔１１ｂを貫通して前記板状湾曲ナット７のねじ孔７ａにねじ込まれると共に、ロックナット１２が前記吊りボルト８にねじ込まれて、該ロックナット１２が前記板状湾曲座金１１に圧接することによって前記吊りボルト８が垂直方向あるいは前後又は左右の何れか所定の方向に懸架されて、その懸架位置から変移しないようロックされるようになっている。なお、図２に示す使用例では、野縁受け懸架金具４が図中右上がりの傾斜状態に取り付けられ、円弧状湾曲片５に形成される長孔６は右側に大きく変移するため、この長孔６を塞ぐための板状湾曲座金１１はその平坦面１１ａより右側に偏位して配置されている。
【００３３】
なお、図７の分解図に示すように、前記板状湾曲座金１１の湾曲面のうち、前記ロックナット１２が圧接するナット圧接面は平坦面１１ａに形成されており、ロックナット１２が板状湾曲座金１１に圧接する際に、該平坦面１１ａに確実に面接触してそのロック作用を有効に発揮するようになっている。
【００３４】
このように、前記該懸架金具４の円弧状湾曲片５に貫設した長孔６を貫通して前記板状湾曲ナット７にねじ込まれた前記吊りボルト８は、天井躯体１の取付面２の傾斜角度に影響されることなく、前記長孔６に案内されて垂直に吊り下げられ、ハンガー１３を介して野縁受け３を懸架し、これに直交して取り付けられた野縁Ｎを介して天井材Ｔが正確に吊持されるようになっている。
【００３５】
図８は、図２と同じように、天井躯体１の傾斜状の取付面２に野縁受け懸架金具４を取り付けるようにした点で同じであるが、図２では、該懸架金具４は、取付面２が上り傾斜側に向いた状態の天井躯体１に取り付けられるようになっているが、図８に示す使用形態では、天井躯体１の取付面２が下り傾斜側に向いた状態で野縁受け懸架装置を取り付けるようにしたものである。そして、その取付構造については、図２と同じであるから説明を省略するが、図８では、野縁受け懸架金具４が図中左上がりの傾斜状態に設けられるため、図２とは反対に円弧状湾曲片５に形成される長孔６は左側に大きく変移しているため、この長孔６を塞ぐための板状湾曲座金１１はその平坦面１１ａより左側に偏位して配置されている。
【００３６】
図９は、野縁受け懸架金具４の他の実施形態の使用状態を示すもので、金属製角パイプからなる天井躯体１の取付面２に固定ボルト９によって適当間隔に取り付けられている一対の野縁受け懸架金具４，４に夫々吊りボルト８，８が吊り下げられ、これら一対の吊りボルト８，８は、夫々短尺な羽子板ボルト１４からなり、該羽子板ボルト１４にビス等の固着具２２によってチャッネル鋼板からなる振れ止め用筋交い１５が連結されて、一対の筋交い１５，１５は、夫々吊りボルト８，８を介して前記懸架金具４，４に互いに左右反対方向に傾斜して吊り下げられ、両筋交い１５，１５の下端部１５ａ，１５ａが野縁受け３に、ビス等の固着具１６によって固着されてなる。
【００３７】
このように、この実施形態によれば、天井躯体１の取付面２の傾斜角度如何によらず、少なくとも一対の振れ止め用筋交い１５，１５を野縁受け懸架金具４に取り付けることができ、これらの筋交い１５，１５によって野縁受け３を吊持することができると共に、外部からの衝撃や振動を受けても、一対の振れ止め用筋交い１５による補強作用により、野縁受け３は動揺することなく吊持され、野縁受け３に野縁を介して取り付けられる天井材の脱落を防止することができる。
【００３８】
図１０は、野縁受け懸架金具４を製作するための展開状態の帯板状の打ち抜き金属板４Ａを示し、この帯板状の打ち抜き金属板４Ａは、長孔６及び係合孔４ｄ付きの円弧状湾曲片５に相当する部分と、その一端部の折り込み線２０によって折り込まれる貫通孔１９ａ付きの当接片４ａに相当する部分と、その他端部の折り込み線２１によって折り込まれる貫通孔１９ｂ及び係合突起４ｃ付きの重合片４ｂに相当する部分からなる。
【００３９】
そして、前記折り込み線２０，２１にしたがって折り込むことによって、長孔６及び係合孔４ｄ付きの円弧状湾曲片５、貫通孔１９ａ付きの当接片４ａと、貫通孔１９ｂ及び係合突起４ｃ付きの重合片４ｂとからなる野縁受け懸架金具４が製作されることになる。
【００４０】
このように、野縁受け懸架金具４を、帯板状の打ち抜き金属板４Ａに対して打ち抜きプレス機による打ち抜き加工と曲げ加工機による曲げ加工（折り込み加工）によって製作することができるから、安価に製作することが可能である。
【００４１】
なお、本発明において、屋根材Ｌの勾配に合わせて種々の勾配角度に傾斜して配設される天井躯体１の取付面２は、屋根材Ｌが陸屋根のように水平である場合、即ち勾配角度が零の場合も含まれることはいうまでもない。
【符号の説明】
【００４２】
１      天井躯体
２      取付面
３      野縁受け
４      野縁受け懸架金具
４ａ    当接片
４ｂ    重合片
４ｃ    係合突起
４ｄ    係合孔
５      円弧状湾曲片
５ａ    湾曲内面
５ｂ    湾曲外面
６      長孔
７      板状湾曲ナット
８      吊りボルト
９      固定ボルト
１１    板状湾曲座金
１１ａ  板状湾曲座金の平坦面
１２    ロックナット
１３    ハンガー
１４    羽子板ボルト
１５    振れ止め用筋交い
１６    固着具
【図１】
2018021371.tif 000003
【図２】
2018021371.tif 000004
【図３】
2018021371.tif 000005
【図４】
2018021371.tif 000006
【図５】
2018021371.tif 000007
【図６】
2018021371.tif 000008
【図７】
2018021371.tif 000009
【図８】
2018021371.tif 000010
【図９】
2018021371.tif 000011
【図１０】
2018021371.tif 000012